(57)【要約】【課題】音楽コンテンツを利用する電子音楽装置以外でコンテンツを取得した場合であっても、コンテンツのセキュリティ対策を講じることができるシステムを提供すること。【解決手段】この電子音楽装置用コンテンツ取得システムでは、コンテンツ取得装置（パーソナルコンピュータ）ＰＣは、コンテンツ配信サイトから音楽コンテンツを受信すると（Ｐ１）、これを利用する電子音楽装置ＥＭの機器ＩＤを取得すべき旨の要求を行う（Ｐ２）。この要求に対して、機器ＩＤを取得することができた場合は（Ｐ３→ＹＥＳ）、この音楽コンテンツを取得することができ、音楽コンテンツに機器ＩＤを埋め込み（Ｐ４）、機器ＩＤが埋め込まれた音楽コンテンツを所定の記憶媒体に保存するか或いは電子音楽装置ＥＭに転送する（Ｐ５）。一方、機器ＩＤを取得できなかった場合には（Ｐ３→ＮＯ）、記憶媒体への保存や電子音楽装置への転送はなされない（Ｐ７〜Ｐ９）。【選択図】図２
2005195901.tif 000002
【特許請求の範囲】
【請求項１】
コンテンツ配信サイトから電子音楽装置用コンテンツを受信するコンテンツ受信手段と、
外部の電子音楽装置の機器ＩＤの取得を要求するＩＤ要求手段と、
この要求に応じて上記機器ＩＤが取得されたときに、受信された電子音楽装置用コンテンツに対して上記機器ＩＤを埋め込むＩＤ埋込み手段と、
上記機器ＩＤが埋め込まれた電子音楽装置用コンテンツを所定の記憶媒体に保存するか或いは上記電子音楽装置に転送するコンテンツ取得手段と
を具備することを特徴とする電子音楽装置用コンテンツ取得装置。
【請求項２】
コンテンツ配信サイトから電子音楽装置用コンテンツを受信するステップと、
外部の電子音楽装置の機器ＩＤの取得を要求するステップと、
この要求に応じて上記機器ＩＤが取得されたときに、受信された電子音楽装置用コンテンツに対して機器ＩＤを埋め込むステップと、
上記機器ＩＤが埋め込まれた電子音楽装置用コンテンツを所定の記憶媒体に保存するか或いは上記電子音楽装置に転送するステップと
から成る手順を情報処理装置に実行させる電子音楽装置用コンテンツ取得プログラム。
【発明の詳細な説明】
【技術分野】
【０００１】
この発明は、電子音楽装置で利用する音楽コンテンツがコンテンツ配信サイトから通信端末を介して提供される際に、音楽コンテンツを通信端末で取得する段階で効果的なセキュリティ対策を講じることができるようにした電子音楽装置用コンテンツ取得システムに関する。
【背景技術】
【０００２】
従来より、電子音楽装置で利用するプログラムやソングデータ、スタイルデータ等の音楽コンテンツをコンテンツ配信サイトから取得し、これを電子音楽装置端末において利用するシステムがある。このようなシステムでは、例えば、特許文献１に示されるように、電子音楽装置端末（音楽コンテンツ再生機能を有するパーソナルコンピュータや無線式携帯端末などのユーザ端末）で取得される音楽コンテンツのセキュリティ対策として、サーバ（コンテンツ配信サイト）から取得した音楽コンテンツを、これを取得した電子音楽装置端末（ユーザ端末）でのみ利用可能とするために、当該電子音楽装置端末のＩＤ（マシンＩＤ）をコンテンツに埋め込むようにしている。
【特許文献１】特許第３２６２１２１号公報（段落〔００３２〕）
【０００３】
一方、コンテンツ配信サイトからの音楽コンテンツを、一旦、通信機能を有するパーソナルコンピュータや携帯用電話機端末などの通信端末で取得し、その後、通信端末で取得した音楽コンテンツを着脱可能な半導体メモリカードなどの所定の可搬性記憶媒体に記録し、この記憶媒体を用いて電子楽器などの電子音楽装置で利用したり、或いは、通信端末で取得した音楽コンテンツをケーブル等のローカル通信媒体を通じて電子音楽装置で利用したいという要求がある。このように、音楽コンテンツを利用する電子音楽装置以外の通信端末で取得されたコンテンツを記憶媒体又は通信媒体経由で電子音楽装置へと渡して電子音楽装置において利用する形態では、電子音楽装置以外の装置でコンテンツを取得するため、上述した従来技術の手法ではセキュリティ対策を講じることができない。
【発明の開示】
【発明が解決しようとする課題】
【０００４】
この発明は、このような事情に鑑み、音楽コンテンツを利用する電子音楽装置以外でコンテンツを取得した場合であっても、コンテンツの効果的なセキュリティ対策を講じることができる電子音楽装置用コンテンツ取得システムを提供することを目的とする。
【課題を解決するための手段】
【０００５】
この発明の特徴に従うと、コンテンツ配信サイト（ＤＳ）から電子音楽装置用コンテンツ（音楽コンテンツ）を受信するコンテンツ受信手段（Ｐ１）と、外部の電子音楽装置（ＥＭ）の機器ＩＤの取得を要求するＩＤ要求手段（Ｐ２）と、この要求に応じて機器ＩＤが取得されたときに（Ｐ３→ＹＥＳ）、受信された電子音楽装置用コンテンツに対して機器ＩＤを埋め込むＩＤ埋込み手段（Ｐ４）と、機器ＩＤが埋め込まれた電子音楽装置用コンテンツを所定の記憶媒体（５Ｍ，４）に保存するか或いは電子音楽装置（ＥＭ）に転送するコンテンツ取得手段（Ｐ５）とを具備する電子音楽装置用コンテンツ取得装置（ＰＣ）〔請求項１〕、並びに、コンテンツ配信サイト（ＤＳ）から電子音楽装置用コンテンツを受信するステップ（Ｐ１）と、外部の電子音楽装置（ＥＭ）の機器ＩＤの取得を要求するステップと、この要求に応じて機器ＩＤが取得されたときに（Ｐ３→ＹＥＳ）、受信された電子音楽装置用コンテンツに対して機器ＩＤを埋め込むステップ（Ｐ４）と、機器ＩＤが埋め込まれた電子音楽装置用コンテンツを所定の記憶媒体（５Ｍ，４）に保存するか或いは電子音楽装置（ＥＭ）に転送するステップ（Ｐ５）とから成る手順を情報処理装置（ＰＣ）に実行させる電子音楽装置用コンテンツ取得プログラム〔請求項２〕が提供される。なお、括弧書きは、理解の便のために実施例における参照記号乃至用語を例示的に付加したものである。
【発明の効果】
【０００６】
この発明による電子音楽装置用コンテンツ取得システムにおいて、パーソナルコンピュータ等のコンテンツ取得装置（ＰＣ）は、インターネットなどの通信ネットワーク（ＣＮ）を介してコンテンツ配信サイト（ＤＳ）と通信可能な通信端末である。一方、電子楽器などの外部の電子音楽装置（ＥＭ）は、この通信ネットワーク（ＣＮ）に接続されず、各種音楽情報処理プログラムや楽器設定情報、音楽実体情報などの電子音楽装置用コンテンツ（音楽コンテンツ）を利用することができる。端末ユーザは、このような電子音楽装置用コンテンツを取得したい場合、コンテンツ配信サイト（ＤＳ）にアクセスした後、以下のような手順により、所望の電子音楽装置用コンテンツを取得してコンテンツ取得装置（ＰＣ）側にダウンロードすることができる。
【０００７】
すなわち、コンテンツ取得装置（ＰＣ）は、コンテンツ配信サイト（ＤＳ）からの電子音楽装置用コンテンツを受信しこれを一時的に記憶すると（Ｐ１）、このコンテンツを利用する電子音楽装置（ＥＭ）に固有の機器ＩＤを取得すべき要求を行う（Ｐ２）。この要求に対して、例えば、電子音楽装置（ＥＭ）の機器ＩＤを記録した記録メディア（５Ｍ）がコンテンツ取得装置（ＰＣ）に装着されていたり、ローカル通信媒体（ＣＭ）を通じて電子音楽装置（ＥＭ）につながっているというように、コンテンツ取得装置（ＰＣ）上で当該電子音楽装置（ＥＭ）の機器ＩＤを取得し得る状態にあって、当該機器ＩＤを取得することができた場合は（Ｐ３→ＹＥＳ）、受信された電子音楽装置用コンテンツを取得（ダウンロード）することができる。この際、受信されたコンテンツには当該機器ＩＤを埋め込んだ後（Ｐ４）、これを所定の記憶媒体（５Ｍ）に保存するか或いは当該電子音楽装置（ＥＭ）に転送する（Ｐ５）。もちろん、記録メディア（５Ｍ）が装着されなかったり、当該電子音楽装置（ＥＭ）につながらない等、ＩＤ取得可能状態になく当該機器ＩＤを取得することができない場合には（Ｐ３→ＮＯ）、受信された電子音楽装置用コンテンツは、機器ＩＤの埋め込みも、記憶媒体への保存や電子音楽装置への転送もなされない（Ｐ７〜Ｐ９）。
【０００８】
つまり、この発明のシステムによると、コンテンツ取得装置において、コンテンツ配信サイトから電子音楽装置用コンテンツを受信した際に、このコンテンツを利用する外部の電子音楽装置について固有の機器ＩＤの取得を要求し、この要求に応じて、記録メディアや通信媒体などを経由して当該機器ＩＤを取得することができた場合に限り、受信した電子音楽装置用コンテンツを取得可能とし、これに対して当該機器ＩＤを埋め込むと共に、所定の記憶媒体に保存し、或いは、当該電子音楽装置へと渡すようになっている。また、ＩＤ取得条件が整わず機器ＩＤを取得することができない場合（電子音楽装置からメディア経由で機器ＩＤをもらっていない、電子音楽装置がつながっていない等の場合）には、受信した電子音楽装置用コンテンツは、当然、記憶媒体に保存せず電子音楽装置にも渡さない。
【０００９】
従って、この発明によれば、コンテンツ取得装置上に電子音楽装置の機器ＩＤがある場合にのみ電子音楽装置用コンテンツを取得可能とし、機器ＩＤが無い場合には、電子音楽装置用コンテンツを取得することができず、当該コンテンツの記憶手段への保存や電子音楽装置への転送ができないように、コンテンツ取得条件を制限しているので、コンテンツを不用意にダウンロードしてしまうことがない。また、取得された電子音楽装置用コンテンツは、これを利用する電子音楽装置に固有の機器ＩＤ情報が付加されているので、当該電子音楽装置にのみ利用可能とするセキュリティをかけることができる。従って、当該電子音楽装置以外の装置でこの電子音楽装置用コンテンツを取得してもこれを利用不可とし、効果的なセキュリティ対策を講ずることができる。
【発明を実施するための最良の形態】
【００１０】
以下、図面を参照しつつこの発明の好適な実施の一形態について説明する。しかしながら、これは単なる一例であって、この発明は、発明の精神を逸脱しない範囲で種々の変更が可能である。
【００１１】
〔システムの概要〕
図１は、この発明の一実施例によるコンテンツ取得システムのハードウエア構成ブロック図を示す。コンテンツ取得システムは、コンテンツ配信サイトＤＳ、コンテンツ取得装置ＰＣ及び電子音楽装置ＥＭから成り、この例では、コンテンツ取得装置ＰＣとして機能する通信端末には、コンテンツ配信サイトＤＳとの通信機能を有するパーソナルコンピュータのような情報処理装置が用いられる。
【００１２】
コンテンツ取得装置即ちパーソナルコンピュータＰＣは、中央処理装置（ＣＰＵ）１、ランダムアクセスメモリ（ＲＡＭ）２、読出専用メモリ（ＲＯＭ）３、第１外部記憶装置４、第２外部記憶装置５、操作検出回路６、表示回路７、通信インターフェース（Ｉ／Ｆ）８などを備え、これらの装置１〜８はバス９を介して互いに接続される。
【００１３】
ＣＰＵ１は、コンテンツ取得プログラム等のアプリケーションソフトウエアを含む種々の制御プログラムに従って、コンテンツ取得を含む種々の情報処理を実行する。ＲＡＭ２は、これらの処理に際して必要な各種データを一時記憶するためにのワーク領域として用いられ、例えば、コンテンツ配信サイトＤＳから送られてくる音楽コンテンツを一時的に格納しておくためのテンポラリメモリに用いられる記憶領域が確保される。ＲＯＭ３には、これらの処理を実行するための各種制御プログラムや必要なデータが予め記憶されている。
【００１４】
第１外部記憶装置４は、ハードディスク（ＨＤ）等の内蔵記憶媒体を備える。第２外部記憶装置５は、可搬性の外部記憶媒体を駆動して同記憶媒体に対し所要情報の書込みや読出しを行う。このような可搬性外部記憶媒体には、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、スマートメディア（登録商標）等の小型メモリカード、等々がある。また、これら可搬性外部記憶媒体のうち電子音楽装置ＥＭで利用可能な記憶媒体であって、当該電子音楽装置ＥＭの機器ＩＤが書き込まれた所定の可搬型外部記憶媒体５Ｍは、コンテンツ配信サイトＤＳから送信されてくる音楽コンテンツを保存するための“特定記録媒体”として用いられる。
【００１５】
操作検出回路６及びこれに接続される操作子１０は操作入力部を構成し、キースイッチやマウス等の操作子１０の操作内容を操作検出回路６で検出し、検出内容に対応する設定情報をシステム本体に導入する。
【００１６】
表示回路７及びこれに接続されるディスプレイ１１や各種インジケータ（ランプ）は表示出力部を構成し、表示回路７は、ＣＰＵ１からの指令に従って、ディスプレイ１１の画面表示状態やインジケータの点灯状態を制御して、操作子１０のユーザ操作に対する表示援助を行う。なお、ユーザに対する報知手段としては、表示出力部７，１１の外に、必要に応じて、音響出力部を設けることができる。
【００１７】
通信Ｉ／Ｆ８は、インターネット等の通信ネットワークＣＮが接続され、通信ネットワークＣＮに接続されるコンテンツ配信サイトＤＳ或いは他のサーバ（図示せず）から各種コンテンツの配信を受け、外部記憶装置４，５に保存することができる。
【００１８】
特に、コンテンツ配信サイトＤＳから配信されるコンテンツの中には、コンテンツ取得プログラムのようにパーソナルコンピュータＰＣ自体で利用されるコンテンツの外に、電子音楽装置ＥＭで利用される音楽コンテンツがある。このような音楽コンテンツには、ソングデータと呼ばれる楽曲データや、スタイルデータと呼ばれる伴奏パターンデータ、電子音楽装置ＥＭのディスプレイ表示に用いられる楽譜データなどの音楽の内容を表わす音楽実体情報、レジストレーションデータと呼ばれる楽器設定情報、これらの情報を用いて各種の音楽情報処理を実行するための各種音楽情報処理プログラム、等々が含まれる。
【００１９】
これらの音楽コンテンツの配信をコンテンツ配信サイトＤＳから受けるときには、特定記録媒体として用いられる可搬性外部記憶媒体５Ｍを第２外部記憶装置５に装着しておくと、コンテンツ取得プログラムに従って、コンテンツ配信サイトＤＳから受信された音楽コンテンツを同記憶媒体５Ｍに記憶することができる。
【００２０】
なお、パーソナルコンピュータＰＣは、図１に破線で示されるように、必要に応じて、ローカル通信インターフェース（Ｉ／Ｆ）１２を設け、ＵＳＢやＭＩＤＩなどのケーブルや構内無線などのローカル通信媒体ＣＭを介して電子音楽装置ＥＭと通信することができる。この場合、コンテンツ配信サイトＤＳから音楽コンテンツを受信した際に電子音楽装置ＥＭの機器ＩＤが取得されたときには、コンテンツ取得プログラムに従って、配信された音楽コンテンツを電子音楽装置ＥＭ側に転送したり、或いは、同音楽コンテンツを第１外部記憶装置４の内蔵記憶媒体に記憶しておくことができる。
【００２１】
コンテンツ配信サイトＤＳは、このシステムでは、サイトを管理するサーバの機能を含み、「コンテンツ配信サーバ」とほぼ同義で用いられる。このコンテンツ配信サーバＤＳのハードウエア構成については、図１に示されるパーソナルコンピュータＰＣとほぼ同様であり、詳細は図示されていないが、規模の大きい外部記憶装置を備える。この外部記憶装置には、多数の音楽コンテンツファイルが蓄積されており、コンテンツ配信サイトＤＳは、パーソナルコンピュータＰＣからの要求に応じて所要の音楽コンテンツファイルを通信Ｉ／Ｆを通じ当該パーソナルコンピュータＰＣに配信することができる。
【００２２】
電子音楽装置ＥＭは、音楽情報処理機能を有する情報処理装置であり、例えば、自動演奏（楽曲再生）装置や電子楽器などが用いられる。電子音楽装置ＥＭは、ハードウエア構成としては、パーソナルコンピュータＰＣと同様に、ＣＰＵ、ＲＡＭ、ＲＯＭ、第１及び第２外部記憶装置、操作入力部及び表示出力部を備えるが、コンテンツ配信サイトＤＳと直接的に通信する機能は有していない。また、電子音楽装置ＥＭは、音楽情報処理機能を有しており、表示出力部により楽譜表示や演奏ガイドを行う音楽情報の表示出力機能を有するだけでなく、さらに、楽音出力部や演奏操作入力部を備えており、楽音出力機能や演奏操作情報入力機能などを実行することができる。
【００２３】
楽音出力部は、音源回路、効果付与ＤＳＰ回路及びサウンドシステムから成り、自動演奏処理などの音楽情報処理で生成される楽音データ及び効果制御データに従った楽音をサウンドシステムのスピーカから出力する。また、演奏操作入力部は、鍵盤やホイール等の演奏操作子及び演奏操作検出回路から成り、演奏操作検出回路により検出された演奏操作子１４の演奏操作内容を音楽情報として音楽情報処理部に導入する。
【００２４】
また、この電子音楽装置ＥＭのＲＯＭには、この電子音楽装置ＥＭに与えられた固有のＩＤである機器ＩＤが記憶されており、電子音楽装置ＥＭの第２記憶装置には可搬型外部記憶媒体を装着することができる。可搬型外部記憶媒体のうちパーソナルコンピュータＰＣでも利用可能な所定の記憶媒体には、第２記憶装置により機器ＩＤを書き込んで、前述したように、パーソナルコンピュータＰＣ側で音楽コンテンツの保存に利用される特定記録媒体５Ｍを作製することができる。
【００２５】
そして、電子音楽装置ＥＭの機器ＩＤが書き込まれた特定記録媒体５Ｍは、パーソナルコンピュータＰＣ側で、コンテンツ配信サイトＤＳから配信された音楽コンテンツが書き込まれた後、再び、電子音楽装置ＥＭの第２記憶装置に装着される。これにより、コンテンツ配信サイトＤＳからの音楽コンテンツを電子音楽装置ＥＭで利用することができる。
【００２６】
なお、電子音楽装置ＥＭには、パーソナルコンピュータＰＣと同様に、必要に応じて、ローカル通信インターフェース（Ｉ／Ｆ）を設け、図１の破線のように、有線又は無線のローカル通信媒体ＣＭを通じて電子音楽装置ＥＭと通信することができる。この場合は、コンテンツ配信サイトＤＳから配信された音楽コンテンツを、（１）直接、ローカル通信媒体ＣＭを介して電子音楽装置ＥＭ側に転送する、或いは、（２）一旦、パーソナルコンピュータＰＣ側の第１記憶装置４の内蔵記憶媒体に記憶した後ローカル通信媒体ＣＭを介して電子音楽装置ＥＭ側に転送する、等の方法により、特定記録媒体５Ｍを経由することなく、当該音楽コンテンツを電子音楽装置ＥＭに渡すことができる。
【００２７】
〔各装置の処理フロー〕
図２は、この発明の一実施例によるコンテンツ取得システムにおける各装置の処理フローを示す。ここで、図２を用いてこのシステムの機能の概要を極く簡単に説明しておく。コンテンツ取得装置（パーソナルコンピュータ）ＰＣは、コンテンツ配信サイトＤＳから音楽コンテンツを受信すると（Ｐ１）、これを利用する電子音楽装置ＥＭに固有の機器ＩＤを取得すべき旨の要求を行う（Ｐ２）。この要求に対して、ＩＤ取得可能状態〔例えば、機器ＩＤを記録した記録メディア５Ｍが装着されていたり、ローカル通信媒体ＣＭを通じて電子音楽装置ＥＭにつながっている状態〕にあって当該電子音楽装置ＥＭの機器ＩＤを取得することができた場合は（Ｐ３→ＹＥＳ）この音楽コンテンツを取得することができる。この場合は、音楽コンテンツに当該機器ＩＤを埋め込み（Ｐ４）、機器ＩＤが埋め込まれた音楽コンテンツを所定の記憶媒体（５Ｍ，４）に保存するか或いは電子音楽装置ＥＭに転送する（Ｐ５）。一方、ＩＤ取得が不可能な状態にあって機器ＩＤを取得することができなかった場合には（Ｐ３→ＮＯ）、もちろん、受信された音楽コンテンツは、機器ＩＤの埋め込みや記憶媒体への保存或いは電子音楽装置ＥＭへの転送はなされない（Ｐ７〜Ｐ９）。
【００２８】
以下、図２について、より詳しく説明する。まず、図２上部のフローチャートは、パーソナルコンピュータＰＣにおいて実行される「コンテンツ取得プログラム」と呼ばれるアプリケーションプログラムに基づく処理動作の一例を表わす。
【００２９】
パーソナルコンピュータＰＣはコンテンツ取得プログラムに従って動作し、通信Ｉ／Ｆ８及び通信ネットワークＣＮを介してコンテンツ配信サイトＤＳにアクセスした後、ユーザの要求した音楽コンテンツがコンテンツ配信サイトＤＳから返信されてくると、ＣＰＵ１は、まず、第１ステップＰ１において、コンテンツ配信サイトＤＳから受信した音楽コンテンツをＲＡＭ２内のテンポラリメモリに一時記憶する。
【００３０】
ＣＰＵ１は、続いて、ステップＰ２において電子音楽装置ＥＭの機器ＩＤの取得を要求し、次のステップＰ３において、当該機器ＩＤの取得に成功したか否かを判断する。電子音楽装置ＥＭの機器ＩＤは、事前に、当該電子音楽装置ＥＭ自体の第２外部記憶装置により、所定の可搬性外部記憶媒体即ち特定記録媒体５Ｍに書き込んでおくことができるので、機器ＩＤが書き込まれた特定記録媒体５ＭがパーソナルコンピュータＰＣの第２外部記憶装置５に装着されていると、特定記録媒体５Ｍからの情報読出しにより、コンテンツ利用主体である電子音楽装置ＥＭの機器ＩＤを取得することができる。
【００３１】
従って、機器ＩＤの取得が要求されたとき（Ｐ２）、電子音楽装置ＥＭの機器ＩＤが書き込まれた特定記録媒体５Ｍが第２外部記憶装置５に装着されており、当該機器ＩＤの取得に成功した場合は（Ｐ３→ＹＥＳ）、当該音楽コンテンツを取得（ダウンロード）することができ、順次、ステップＰ４〜Ｐ７の処理動作を実行する。
【００３２】
すなわち、ステップＰ４では、テンポラリメモリに一時記憶されている音楽コンテンツの中に、取得された機器ＩＤを埋め込み、次のステップＰ５において、この音楽コンテンツを特定記録媒体５Ｍに記録・保存する。これにより、ユーザ所望の音楽コンテンツを取得すると、続くステップＰ６にて、コンテンツ配信サイトＤＳに対して音楽コンテンツの保存に成功した旨を通知する。そして、ステップＰ７において、テンポラリメモリ内に記憶されている当該音楽コンテンツを消去し、このアプリケーション処理動作を終了する。
【００３３】
一方、特定記録媒体５Ｍが第２外部記憶装置５に装着されておらず、電子音楽装置ＥＭの機器ＩＤを取得することができない場合には（Ｐ３→ＮＯ）、ステップＰ８に進み、コンテンツ配信サイトＤＳから受信されたテンポラリメモリ内の音楽コンテンツは保存することができない旨をディスプレイ１１に表示してコンテンツ保存不可をユーザに報知する。続いて、ステップＰ９で、コンテンツ配信サイトＤＳに対して同音楽コンテンツの保存（取得）に失敗した旨を通知する。そして、ステップＰ７において、テンポラリメモリ内の当該音楽コンテンツを消去した上、このアプリケーション処理動作を終了する。
【００３４】
なお、音楽コンテンツ取得に失敗した場合（Ｐ３→ＮＯ）は、ステップＰ９で音楽コンテンツ取得失敗を通知したとき、コンテンツ配信サイトＤＳ側において、この失敗通知を受けると、再度このコンテンツの取得を試みることができるように制御するのがよい。例えば、ディスプレイ１１等の報知手段により、電子音楽装置ＥＭの機器ＩＤが書き込まれた特定記録媒体５Ｍを第２外部記憶装置５に装着すべきことをユーザに促し、ユーザがこれに応答した場合には、ステップＰ２に戻る等の方法がある。
【００３５】
次に、図２下部のフローチャートは、電子音楽装置ＥＭで実行される処理動作の一例を表わす。電子音楽装置ＥＭにおいては、パーソナルコンピュータＰＣ側で音楽コンテンツが記録・保存された特定記録媒体５Ｍを第２外部記憶装置に装着し、この音楽コンテンツに埋め込まれた機器ＩＤがこの電子音楽装置ＥＭ自体の有する機器ＩＤと一致した場合にのみ、この音楽コンテンツを利用することができる。
【００３６】
電子音楽装置ＥＭのＣＰＵは、まず、最初のステップＥ１で、ユーザ操作により、この特定記録媒体５Ｍ内に記録されている音楽コンテンツの利用が指示されると、指示された音楽コンテンツの中に埋め込まれた機器ＩＤを抽出する。
【００３７】
続くステップＥ２では、ＲＯＭから当該電子音楽装置ＥＭ自体の機器ＩＤを読み出して、音楽コンテンツから抽出された機器ＩＤと比較する。ここで、両機器ＩＤが一致した場合は（Ｅ３→ＹＥＳ）、ステップＥ４に進んで、この音楽コンテンツを利用することができる。
【００３８】
このコンテンツ利用ステップＥ４では、例えば、音楽コンテンツを第１外部記憶装置の内蔵記録媒体に記録・保存したり、音楽コンテンツの音楽情報処理プログラムに従って電子音楽装置ＥＭを動作させたり、音楽コンテンツの楽器設定情報に従って音楽情報処理時の動作条件を設定したり、音楽コンテンツの音楽実体情報（楽曲データ、伴奏パターンデータ等）や演奏操作入力部からの演奏操作情報に従って、楽音出力部から楽音を出力させたり、或いは、表示出力部により楽譜表示や演奏ガイドを行うことができる。
【００３９】
一方、両機器ＩＤが一致しない場合には（Ｅ３→ＮＯ）、ステップＥ５にて、当該音楽コンテンツを利用することができない旨を表示出力部のディスプレイに表示してコンテンツ利用不可をユーザに報知し、指示された音楽コンテンツの利用に関する処理動作を終了する。
【００４０】
〔電子音楽装置の接続が可能な場合〕
この発明の一実施例によるコンテンツ取得システムでは、図１に破線で示すように、パーソナルコンピュータＰＣにローカル通信Ｉ／Ｆ１２が設けられ、また、電子音楽装置ＥＭにもローカル通信Ｉ／Ｆが設けられて、パーソナルコンピュータＰＣと電子音楽装置ＥＭとの間でケーブルや無線方式のローカル通信媒体ＣＭを介して通信することができるように構成されている場合には、パーソナルコンピュータＰＣは、特定記録媒体５Ｍを介することなく、ローカル通信媒体ＣＭを介して電子音楽装置ＥＭ側に音楽コンテンツを転送することができる。
【００４１】
（１）音楽コンテンツの直接転送
この場合、図２のステップＰ２で電子音楽装置ＥＭの機器ＩＤの取得要求があったときに、両装置ＰＣ，ＥＭ間が通信可能な状態になっていると、パーソナルコンピュータＰＣは、ローカル通信媒体ＣＭを介して電子音楽装置ＥＭと機器ＩＤなどの情報を転送し合うことができるので、電子音楽装置ＥＭの機器ＩＤの転送を受けて機器ＩＤを取得した後（Ｐ３→ＹＥＳ）、ステップＰ５でも、ローカル通信媒体ＣＭを通じて、直接、当該電子音楽装置ＥＭ側にＩＤ埋込み済み音楽コンテンツを転送する方法を採ることができる。
【００４２】
すなわち、パーソナルコンピュータＰＣにおいては、コンテンツ配信サイトＤＳから受信された音楽コンテンツをテンポラリメモリに一時記憶した後（Ｐ１）、電子音楽装置ＥＭの機器ＩＤの取得を要求する際に（Ｐ２）、電子音楽装置ＥＭのＲＯＭにアクセスし、同ＲＯＭから、直接、機器ＩＤを取得することができる。これにより電子音楽装置ＥＭの機器ＩＤの取得に成功すると（Ｐ３→ＹＥＳ）、ステップＰ４で機器ＩＤの埋込みを行う。次のステップＰ５においては、ＩＤ埋込み済み音楽コンテンツを、直接、電子音楽装置ＥＭ側に転送する。そして、転送処理が完了すると、保存成功通知（Ｐ６）及びテンポラリメモリからの消去（Ｐ７）の処理動作を実行する。
【００４３】
また、電子音楽装置ＥＭにおいては、パーソナルコンピュータＰＣから転送されてきたＩＤ埋込み済み音楽コンテンツをコンテンツ記憶手段（例えば、第１外部記憶装置の内蔵記憶媒体）に記録・保存する。図２のステップＥ１で、この音楽コンテンツの利用が指示されると、次のステップＥ２で電子音楽装置ＥＭの機器ＩＤと音楽コンテンツの埋込み機器ＩＤとを比較し、一致した場合は（Ｅ３→ＹＥＳ）、ステップＥ４に進み、指示された音楽コンテンツを利用することができる。
【００４４】
（２）音楽コンテンツの間接転送
パーソナルコンピュータＰＣと電子音楽装置ＥＭの接続が可能な場合の別の実施形態として、図２のフローチャートにおいて“所定の記憶媒体”を第１外部記憶装置４の内蔵記憶媒体とし、特定記録媒体５Ｍを経由する場合と同様の処理動作を実行し、コンテンツ配信サイトＤＳから配信された音楽コンテンツを取得（ダウンロード）する方法を採ることもできる。
【００４５】
すなわち、パーソナルコンピュータＰＣにおいては、受信された音楽コンテンツの一時記憶後（Ｐ１）電子音楽装置ＥＭの機器ＩＤの取得要求時において（Ｐ２）、電子音楽装置ＥＭのＲＯＭにアクセスすることができる場合は、電子音楽装置ＥＭのＲＯＭから、直接、機器ＩＤを取得することができる。また、機器ＩＤの取得要求時に両装置ＰＣ，ＥＭ間が通信可能に接続されていなくても、事前の両装置ＰＣ，ＥＭ間接続時に予め電子音楽装置ＥＭの機器ＩＤをパーソナルコンピュータＰＣ内の所定のＩＤ記憶手段（例えば、第１外部記憶装置４の内蔵記憶媒体）に登録しておいた場合にも、このＩＤ記憶手段の登録ＩＤから電子音楽装置ＥＭの機器ＩＤを取得することができる。
【００４６】
従って、このように電子音楽装置ＥＭのＲＯＭ又はパーソナルコンピュータＰＣのＩＤ記憶手段から機器ＩＤの取得に成功すると（Ｐ３→ＹＥＳ）、前述の説明と同様に、順次、機器ＩＤの埋め込み（Ｐ４）、ＩＤ埋込み音楽コンテンツの内蔵記録媒体への保存（Ｐ５）、保存成功通知（Ｐ６）及びテンポラリメモリからの消去（Ｐ７）の処理動作を実行する。
【００４７】
また、電子音楽装置ＥＭにおいては、パーソナルコンピュータＰＣの内蔵記憶媒体（４）内に記録されている音楽コンテンツの利用が指示されると（Ｅ１）、指示されたコンテンツに埋め込まれている機器ＩＤを電子音楽装置ＥＭの機器ＩＤと比較して（Ｅ２）両ＩＤが一致した場合にのみ（Ｅ３→ＹＥＳ）、ローカル通信媒体ＣＭを介して音楽コンテンツが所定の記憶手段（ＲＡＭ又は第１外部記憶装置の内蔵記憶媒体）に転送され、電子音楽装置ＥＭにおいて、この音楽コンテンツを利用することができる（Ｅ４）。
【００４８】
なお、パーソナルコンピュータＰＣの内蔵記憶媒体（４）に音楽コンテンツが保存される場合、この音楽コンテンツは、電子音楽装置ＥＭのコンテンツ記憶手段（例えば、第１外部記憶装置の内蔵記憶媒体）に保存されたときに（Ｅ４）、保存完了通知を受けたパーソナルコンピュータＰＣにより自動的に消去するように構成してもよい。
【００４９】
この間接転送の例では、電子音楽装置ＥＭの機器ＩＤの取得に成功したときに（Ｐ３→ＹＥＳ）、一旦、音楽コンテンツを第１外部記憶装置４の内蔵記憶媒体に保存することにより、特定記録媒体５Ｍに保存する場合とコピー回数を合わせることができ、音楽コンテンツに対する著作権保護上の問題に対処することができる。また、ＩＤ記憶手段（４）から電子音楽装置ＥＭの機器ＩＤを取得する方法を採用することにより、音楽コンテンツ配信時に電子音楽装置ＥＭと通信状態にしておく必要がなくなる。
【００５０】
（３）補足事項（ＩＤ取得失敗時の処理等）
図１に破線で示すように、パーソナルコンピュータＰＣ及び電子音楽装置ＥＭが共通仕様のローカル通信Ｉ／Ｆを有するシステムにおいて、例えば、特定記録媒体５Ｍが第２外部記憶装置５に装着されていない、電子音楽装置ＥＭのＲＯＭ等へのアクセスが不可能である（ケーブルＣＭの接続不良、電子音楽装置ＥＭの電源未投入やＲＯＭ等へのアクセス不許可など）、ＩＤ記憶手段に機器ＩＤが未登録である等、電子音楽装置ＥＭの機器ＩＤを取得することができなかった場合は（Ｐ３→ＮＯ）、テンポラリメモリに一時記憶された音楽コンテンツは、所定の記憶媒体（５Ｍ，４）に保存されたり電子音楽装置ＥＭに転送されることはない。この場合は、特定記録媒体５Ｍを用いるシステムの説明と同様に、コンテンツ保存不可を報知し（Ｐ８）、コンテンツ配信サイトＤＳにコンテンツ保存（取得）の失敗を通知した後（Ｐ９）、テンポラリメモリの音楽コンテンツを消去して処理動作を終了する（Ｐ７）。
【００５１】
このようにコンテンツ取得失敗を通知したときには（Ｐ９）、特定記録媒体５Ｍを用いるシステムの説明と同様に、ユーザに対して電子音楽装置の機器ＩＤを取得することができる環境にするように促すようにしてもよい。例えば、既述したように電子音楽装置ＥＭの機器ＩＤを書き込んだ特定記録媒体５Ｍを装着するように薦める外に、ケーブル等で電子音楽装置ＥＭと正しく接続するように薦める。この場合、ユーザの応答があれば、その後（ステップＰ２に戻って）、再度、電子音楽装置ＥＭの機器ＩＤを取得する試みを実行する。
【００５２】
なお、機器ＩＤの取得先が複数ある場合（特定記録媒体５Ｍ、電子音楽装置ＥＭのＲＯＭ、パーソナルコンピュータＰＣのＩＤ記憶手段の何れからも機器ＩＤを取得することができるようにしたシステムの場合）に、機器ＩＤ取得先や電子音楽装置用コンテンツの保存乃至転送先を何れにするかについては、予め設定しておいてもよいし、ユーザに選択させるようにしてもよい。
【００５３】
〔種々の実施態様〕
以上、この発明の一実施例について説明したが、種々の変更が可能であり種々の態様で実施することができる。例えば、実施例においては、コンテンツ取得装置（ＰＣ）と電子音楽装置（ＥＭ）が、両装置（ＰＣ，ＥＭ）で使用可能な所定の可搬性外部記憶媒体（特定記録媒体５Ｍ）及びローカル通信媒体（ＣＭ）を介して、電子音楽装置（ＥＭ）の機器ＩＤや電子音楽装置用コンテンツを授受することができるシステムにしているが、このような可搬性外部記憶媒体（５Ｍ）は用意せず、ローカル通信媒体（ＣＭ）のみを用いて両装置（ＰＣ，ＥＭ）間での情報授受を行うように構成してもよい。
【００５４】
また、電子音楽装置ＥＭにおいて、当該電子音楽装置ＥＭの機器ＩＤは、ＲＯＭ以外の例えば第１外部記憶装置内の内蔵記憶媒体に保存されていてもよい。この場合、機器ＩＤの改ざんや不正取得を防ぐため、ユーザからは読み書きできない領域に保存しておくのが好ましい。
【００５５】
また、音楽コンテンツ内の機器ＩＤ埋込み方式としては、ＩＤを透かしで埋め込む、ＩＤを暗号鍵（キー）の一部又は全部とする、音楽コンテンツ内の暗号化された部分に書き込む、等々がある。
【図面の簡単な説明】
【００５６】
【図１】この発明の一実施例によるコンテンツ取得システムのハードウエア構成ブロック図である。
【図２】この発明の一実施例によるコンテンツ取得システムにおけるコンテンツ取得装置（パーソナルコンピュータ）及び電子音楽装置の処理動作例を表わすフローチャートである。
【符号の説明】
【００５７】
ＤＳ  コンテンツ配信サイト（サーバ）、
ＰＣ  コンテンツ取得装置（通信端末、パーソナルコンピュータ）、
ＥＭ  電子音楽装置（自動演奏装置、電子楽器）、
５Ｍ  特定記録媒体（所定の可搬型外部記憶媒体）、
ＣＭ  ローカル通信媒体。
【図１】
2005195901.tif 000003
【図２】
2005195901.tif 000004